【手続補正書】
【提出日】平成22年8月9日(2010.8.9)
【手続補正１】
【補正対象書類名】特許請求の範囲
【補正対象項目名】全文
【補正方法】変更
【補正の内容】
【特許請求の範囲】
【請求項１】
プリフォーム又はペットボトルなどの中空の円筒体を搬入装置（１０２）から取り外し搬出装置（１０３）へと搬送する方法であって、
少なくとも一部の中空の円筒体（１１４、１３１）は搬送装置（１０４）に取り込まれて空気圧及び／又は機械的に保持され、搬出装置（１０３）により搬送装置（１０４）から引き取られることを特徴とする方法。
【請求項２】
孔（１０９）に適合している円筒体の少なくとも一部が搬送装置（１０４）に引き取られることを特徴とする請求項１に記載の方法。
【請求項３】
円筒体の少なくとも一部が搬送装置（１０４）の外部側面（１０８．１）に形成された凹部（１１８）に受けられ、凹部（１１８）が孔（１０９．１）を介して真空発生源に連結可能に形成されていることを特徴とする請求項２又は請求項３に記載の方法。
【請求項４】
円筒体は搬送装置（１０４）に滞在中及び／又は滞在後に処理されることを特徴とする請求項１ないし請求項３のいずれか１項に記載の方法。
【請求項５】
請求項１ないし請求項３のいずれか１項に記載の方法を実施する装置であって、
搬送装置（１０４）は、円筒体（１１４、１３１）の少なくとも一部を受容する孔（１０９）を備えていることを特徴とする装置。
【請求項６】
搬送装置は軸（１０５）の周りを回転する円筒状輪（１０７、１０７．１、１０７．２）として形成され、その円筒状輪（１０７、１０７．１、１０７．２）の外部側面（１０８、１０８．１）から内部に孔（１０９、１０９．１）が径方向に通じていることを特徴とする請求項５に記載の装置。
【請求項７】
円筒状輪（１０７、１０７．１、１０７．２）の内部に環状空間（１１６）が形成され、該環状空間内部の真空発生源との連結を可変とする軸（１０５）の周りを回転可能な遮蔽翼（１２１）又は遮蔽弁が備えられてことを特徴とする請求項６に記載の装置。
【請求項８】
前記搬送装置は、重なり合うか又は隣り合った２つの円板（１３３．１、１３３．１；１３３．３、１３３．４）により構成され、各々の円板は軸（Ａ、Ｂ）の周りを同期して回転することを特徴とする請求項１ないし請求項７のいずれか１項に記載の装置。
【請求項９】
２つの軸（Ａ、Ｂ）はある角度（ｗ）を成していることを特徴とする請求項８に記載の装置。
【請求項１０】
円筒状輪（１０７．２）の外部側面の少なくとも一部は、円筒状輪（１０７．２）の孔（１０９）と対応して開口部（１２７）を有するベルト（１２４）に巻かれことを特徴とする請求項６ないし請求項９のいずれか１項に記載の装置。
【請求項１１】
ベルト（１２４）の開口部（１２７）の側方に挟持板（１２８．１、１２８．２）が取り付けられ、各々の挟持板（１２８．１、１２８．２）は肉厚の先端部（１２９）を有していることを特徴とする請求項１０に記載の装置。
【請求項１２】
円筒状輪（１０７．２）の搬送領域に支持覆い（１３０．１、３０．２）が備えられていることを特徴とする請求項１０又は請求項１１に記載の装置。
【請求項１３】
円筒状輪（１０７．２）の外部側面は歯が形成され前記ベルトは歯付ベルト（１２４）として形成されていることを特徴とする請求項１０ないし請求項１２のいずれか１項に記載の装置。
【請求項１４】
円筒状輪（１０７、１０７．１、１０７．２）又は円板（１３３．１、１３３．１、１３３．３、１３３．４）の回転駆動機構には駆動ベルトが備えられ、該円筒状輪又は該円板と共に滑りクラッチとして作用することを特徴とする請求項６ないし請求項１３のいずれか１項に記載の装置。
【請求項１５】
搬送装置（１０４）には、円筒体（１１４、１３１）を処理する装置（１４１、１４１．１）が備えられ、処理装置（１４１、１４１．１）は、円筒体の中空空間に配置されていることを特徴とする請求項５ないし請求項１４のいずれか１項に記載の装置。
【請求項１６】
処理装置（１４１）は旋回可能なアーム（１４２）に取り付けられていることを特徴とする請求項１５に記載の装置。
【請求項１７】
アーム（１４２）を連結するブッシュ（１４３）が、円筒状輪（１０７、１０７．１、１０７．２）又は円板（１３３．１、１３３．２；１３３．３、１３３．４）の軸（１０５）の周りを回転する回転円板（１４４）に備えられていることを特徴とする請求項１６に記載の装置。
【請求項１８】
アーム（１４２）の処理装置（１４１）とは逆の端部は、回転軸（１０５）に固定されたカム板（１４５）に支えられていることを特徴とする請求項１７に記載の装置。
【請求項１９】
処理装置（１４１．１）は無限ベルト（１４７）に備えられ、該無限ベルトによって円筒体の中空空間へと案内されることを特徴とする請求項１５に記載の装置。
【請求項２０】
無限ベルト（１４７）２つの回転ローラ（１４８）及びその近辺の支持部材（１４９．１、１４９．２）を巡って循環することを特徴とする請求項１９に記載の装置。
【請求項２１】
処理装置（１４１．１）は加圧室（１５０）を通って循環することを特徴とする請求項１９又は請求項２０に記載の装置。
【請求項２２】
搬送領域の後方の歯付ベルト（１２４）に減圧領域（１５１）が備えられていることを特徴とする請求項１０ないし請求項２１のいずれか１項に記載の装置。
【請求項２３】
減圧領域（１５１）の終端に、中空体を歯付ベルト（１２４）から押出す案内条（１５２）が備えられていることを特徴とする請求項２２に記載の装置。
【請求項２４】
処理装置（１４１、１４１．１）は中空体内に処理剤を注入するノズルであることを特徴とする請求項１５ないし請求項２３のいずれか１項に記載の装置。
【請求項２５】
前記処理剤はイオン化された空気であることを特徴とする請求項２４に記載の装置。
【請求項２６】
容器（１）から桿状体（２）、すなわち配送口（３）を有するホッパーからペットボトル用加工材料（プリフォーム）を配送する装置であって、
配送口（３）に回転する円板（５）が備えられていることを特徴とする装置。
【請求項２７】
回転する円板（５）の径（ｄ３）がほぼ配送口（３）の径（ｄ２）と同一であり、回転する円板（５）の表面（１０）は配送口（３）に面して上部構造（１１、１２）を備え、回転する円板（５）には回転駆動機構（８）が備えられていることを特徴とする請求項２６に記載の装置。
【請求項２８】
上部構造（１１）は偏心した仕切り条であることを特徴とする請求項２７に記載の装置。
【請求項２９】
上部構造（１２）は回転方向（ｚ）に追随して形成されていることを特徴とする請求項２７又は請求項２８に記載の装置。
【請求項３０】
配送口（３）と円板（５）の間に覆い（１５）が備えられていることを特徴とする請求項２６ないし請求項２９のいずれか１項に記載の装置。
【請求項３１】
覆い（１５）は、配送口（３）の径（ｄ２）よりもやや大きい径（ｄ）を有する環状体であることを特徴とする請求項３０に記載の装置。
【請求項３２】
覆い（１５）は配送口（３）と円板（５）の間に可動に配置されていることを特徴とする請求項３０又は請求項３１に記載の装置。
【請求項３３】
覆い（１５）により、配送口（３）と円板（５）の間の（円形又は多角形の）環状開口部（１６）の幅（ｗ）が変更されることを特徴とする請求項３２に記載の装置。
【請求項３４】
配送口（３）は、壁板（４）で囲まれ、該壁板に対し覆い（１５）が可動であることを特徴とする請求項３０ないし請求項３３のいずれか１項に記載の装置。
【請求項３５】
円板（５）は分配板（９、９．１）の上方に配置され、前記分配板は回転するか又は静止した円錐状分配板（９．１）であることを特徴とする請求項２６ないし請求項３４のいずれか１項に記載の装置。
【請求項３６】
撹拌翼（１４）は、配送口（３）を通って容器（１）に挿入された螺旋状の撹拌棒（１４）であることを特徴とする請求項２６ないし請求項３５のいずれか１項に記載の装置。
【請求項３７】
螺旋状の攪拌棒（１４）により円筒状の空間が形成されることを特徴とする請求項３６に記載の装置。
【請求項３８】
撹拌翼（１４）は、回転軸（６）上に載置されていることを特徴とする請求項３６又は請求項３７に記載の装置。